(57)【特許請求の範囲】
【請求項１】
遠用視ないし近用視に使用するために眼鏡枠を上下に移動させるように構成された多焦点用眼鏡枠であって、
鼻を中心として左右対称に配置される鼻当て用の左右のパッドと、パッド取り付け部と、を具備し、上記左右のパッドを開閉可能に眼鏡枠に取り付けるために、左右のパッド取り付け部を、結合装置を介してパッドアームに取り付け、
前記結合装置はパッド取り付けのために各パッド取り付け部に凸部として設けた嵌め込み部と、それらを取り付けるために前記パッドアームに凹部として設けた受容部と、前記嵌め込み部をパッド受容部に嵌め込んだ状態にて止め付けるネジとを有し、
左右のパッドは、左右のパッド取り付け部に支軸によって回転可能に軸支されており、その支軸は開閉するパッドの中央寄りに位置し、かつ、その軸方向が眼鏡枠に対してほぼ縦方向を向くように配置されており、
さらに、遠用視ないし近用視に使用する際に、鼻の上下における幅の広狭に応じて左右のパッドが開閉するとともに、左右のパッドが閉じ方向へ作用して鼻を左右から挟持するように一方がパッド取り付け部に位置し、他方が上記パッドに位置する反発部材を具備したことを特徴とする多焦点用眼鏡枠。
【請求項２】
反発部材は一対の磁石から成り、かつ、それぞれの磁石の同極が対面するようにパッドとパッド取り付け部に取り付けられている
請求項１記載の多焦点用眼鏡枠。
【請求項３】
左右のパッドは、上下において変化する鼻の左右の側面形状により適切に接するように、複数の曲面から成る鼻当て面を有している
請求項１または２記載の多焦点用眼鏡枠。
【請求項４】
反発部材はコイルスプリングから成り、かつ、コイルスプリングの一方の端部がパッドと接触し、コイルスプリングの他方の端部がパッド取り付け部と接触するよう構成された
請求項１記載の多焦点用眼鏡枠。
【発明の詳細な説明】
【技術分野】
【０００１】
本発明は、遠用視ないし近用視に使用するために眼鏡枠を上下に移動させるように構成された多焦点用眼鏡枠に関するものである。
【背景技術】
【０００２】
眼鏡にはいわゆる遠近両用めがねがあり広く用いられているが、これを使用する場合、一般的に遠用視ではレンズの上部を用い、近用視ではレンズの下部を用いる。このため、眼鏡枠を使用者の見やすい位置に合わせて上下させる操作が行なわれ、そのような操作を容易にする装置を組み込んだ眼鏡枠も用いられている。
【０００３】
上記の技術に関するものには、例えば、特開平８−２９２４００号があり、この発明は取り付け座側と鼻当て側との間において鼻当ての上下方向の位置をずらせた上下２か所の位置に鼻当てを係止させる係止手段をそれぞれ設け、そしてそれら係止手段のうち少なくとも取り付け座に対し鼻当てを磁力によって係止させる構成を開示している。この構成の場合、鼻当ては上下２か所の位置の間にて移動可能であるが、上下２か所以外の位置で停止させることはできない。これは、特開２０００−１５５２９２号の多焦点用眼鏡枠においても、第一磁石に選択的に吸着する第二磁石及び第三磁石を具備し、上記第一、第二両磁石間で上下させる構成であるから同じである。しかしながら、上下２か所の間の位置で見たいこともあり、そのような場合、従来は上下２か所の中間の位置で眼鏡枠を押さえ続けなければならないが、それは実用的ではない。
【０００４】
また、上記のような従来の技術では、鼻当てをスライド移動させることで眼鏡枠を上下２か所の位置に移動させる方法が取られた。しかし、スライドによる移動では比較的大きな抵抗を生じ易い。それにも拘らず、左右一対の鼻当ては左右同様に上位の遠用視の位置を取り、かつまた、同様に下位の近用視の位置を取る必要があり、それが多焦点眼鏡の正しい使用のための前提となる。しかしながら、上下２か所の位置を移動する動きが同様に進行するとの保証はなく、時として左右のパッドの位置がずれ、いわゆる片動きを生じるという問題があった。
【０００５】
【特許文献１】特開平８−２９２４００号
【特許文献２】特開２０００−１５５２９２号
【発明の開示】
【発明が解決しようとする課題】
【０００６】
本発明は前記の問題に鑑みなされたものであり、その課題は、遠用視ないし近用視に使用するために眼鏡枠を上下に移動可能とするとともに、上下範囲の途中で移動を停止可能な多焦点用眼鏡枠提供することである。また、本発明の他の課題は、左右のパッドの上下移動ではなく開閉によって眼鏡枠を上下に移動させることで、左右のパッドの位置がずれていわゆる片動きを生じないようにした多焦点用眼鏡枠を提供することである。
【課題を解決するための手段】
【０００７】
前記の課題を解決するため、本発明は、遠用視ないし近用視に使用するために眼鏡枠を上下に移動させるように構成された多焦点用眼鏡枠について、鼻を中心として左右対称に配置される鼻当て用の左右のパッドと、上記左右のパッドを開閉可能に眼鏡枠に取り付けるための左右のパッド取り付け部及び左右のパッド取り付け部を眼鏡枠側に取り付けるためのパッドアームを具備し、左右のパッドは、左右のパッド取り付け部に支軸によって回転可能に軸支されており、その支軸は開閉するパッドの中央寄りに位置し、かつ、その軸方向が眼鏡枠に対してほぼ縦方向を向くように配置されており、さらに、遠用視ないし近用視に使用する際に、鼻の上下における幅の広狭に応じて左右のパッドが開閉するとともに、左右のパッドが閉じ方向へ作用して鼻を左右から挟持するように一方がパッド取り付け部に位置し、他方が上記パッドに位置する反発部材を具備するという手段を講じたものである。
【０００８】
本発明の多焦点眼鏡枠は、遠用視ないし近用視に使用するために眼鏡枠を上下に移動させるように構成されている点においてこそ従来のものと共通するが、左右のパッドの上下移動ではなく開閉によって眼鏡枠を上下に移動させることを特徴とするものである。この特徴は鼻（鼻梁）の幅が上部で狭く、下部で広い形態を持つことに着目し、左右のパッドの開閉度合いを調節可能とすることで眼鏡枠も上下に移動可能になるとの新奇な知見と着想によるものである。
【０００９】
その着想の下に、本発明では、遠用視ないし近用視に使用する際に、鼻の上下における幅の広狭に応じて左右のパッドが開閉するとともに、左右のパッドが閉じ方向へ作用して鼻を左右から挟持するように一方がパッド取り付け部に位置し、他方が上記パッドに位置する反発部材を具備している。反発部材の反発力を利用して左右一対のパッドを閉じる方向へ付勢し、上記パッドの閉じる作用力によって鼻を上下任意の位置で連続的に挟持し、遠用視ないし近用視に対応することができる。
【００１０】
反発部材は一対の磁石から成り、かつ、それぞれの磁石の同極が対面するようにパッドとパッド取り付け部に取り付けられている。しかしまた、反発部材はコイルスプリングから成り、かつ、コイルスプリングの一方の端部がパッドと接触し、コイルスプリングの他方の端部がパッド取り付け部と接触するよう構成しても良い。磁石の反発力も圧縮ばねの押力も同様に左右のパッドに作用させることができるので、本発明では全く同様に扱っても支障がない。
【００１１】
本発明の装置として、左右のパッドが左右のパッド取り付け部に支軸によって回転可能に軸支されており、その支軸は開閉するパッドの中央寄りに位置し、かつ、その軸方向が眼鏡枠に対してほぼ縦方向を向くように配置する構成は、好ましいものである。パッドの中央寄りは鼻（鼻梁）の正中線に寄った側であり、パッドの外方部分が開くことになるので鼻の形態に合っている。しかし、左右のパッドは、左右のパッド取り付け部に支軸によって回転可能に軸支されており、その支軸が開閉するパッドの上部に位置し、かつ、その軸方向が眼鏡枠に対してほぼ横方向を向くように配置することも可能である。後者の場合、左右のパッドはパッドの下部が開くのでこれも鼻の形態に合っている。
【００１２】
また、左右のパッドは、上下において変化する鼻の左右の側面形状により適切に接するように、複数の曲面から成る鼻当て面を有しているという構成も、本発明にとって好ましいものである。左右のパッドは開閉可能であり、鼻（鼻梁）の両側面に接触する面はパッドの開閉に応じて変化（移動）し得る。そこで、鼻当て面の形状を接触面の形状に応じた曲面から構成することにより、パッドの鼻当て面が鼻の両側面に適切に接触するようになる。
【発明の効果】
【００１３】
本発明は以上のように構成され、かつ、作用するものであるから、パッドの開閉度合いが連続して変化可能であり、眼鏡枠も上下に連続して変化可能であり、従って、移動範囲の任意の位置で眼鏡枠の移動を停止することができ、遠用視ないし近用視に使用するために眼鏡枠を上下に移動可能とするとともに上下範囲の途中で移動を停止し、使用者の要求に最も適合した位置にて多焦点用眼鏡を使用することができるという効果を奏する。また、本発明によれば、左右のパッドの上下移動ではなく開閉によって眼鏡枠を上下に移動させるようにしたので、パッドをスライドさせることなく眼鏡枠の上下移動が可能になり、左右のパッドの位置がずれていわゆる片動きを生じる恐れがなくなり、一対のパッドが左右同様に遠用視ないしは近用視の位置を取るので、多焦点用眼鏡枠を常に快適に使用することができる。
【発明を実施するための最良の形態】
【００１４】
以下図示の実施形態を参照して本発明をより詳細に説明する。図１は本発明に係る多焦点用眼鏡枠の例１に関するもので、この眼鏡枠１０は左右のフロント部１１、１２と連結片１３及び左右のテンプル１４、１５を有している。また、眼鏡枠１０は、鼻を中心として左右対称に配置される鼻当て用の左右のパッド１６、１７と、上記左右のパッド１６、１７を開閉可能に眼鏡枠１０に取り付けるために眼鏡枠側に設けた左右のパッド取り付け部１８、１９を具備している。
【００１５】
左右のパッド取り付け部１８、１９は、それぞれ左右のフロント部１１、１２に、結合装置２０とパッドアーム２１、２２を用いて取り付けられている（図２参照）。結合装置２０はパッド取り付けのために各パッド取り付け部１８、１９に凸部として設けた嵌め込み部１６ａ、１７ａと、それらを取り付けるためにパッドアーム２１、２２に凹部として設けた受容部１６ｂ、１７ｂと、嵌め込み部１６ａ、１７ａをパッド受容部１６ｂ、１７ｂに嵌め込んだ状態にて止め付けるネジ２３、２４とから構成されている。これらの構成には、従来の一般的なパッド取り付け部と比較して大きな差異は必要ない。
【００１６】
図２に示す実施形態の例１では、左右のパッド１６、１７は、左右のパッド取り付け部１８、１９に支軸２５、２６によって回転可能に軸支されており、その支軸２５、２６は開閉するパッド１６、１７の中央寄りに位置し、かつ、その軸方向が眼鏡枠１０に対してほぼ縦方向を向くように配置されている（図２、図３参照）。各パッド１６、１７の中央寄りに支軸２５、２６があるということは鼻（鼻梁）Ｎの正中線ｌの方に寄って軸支されることであり、パッド１６、１７はそれぞれの外方部分が開くことになるので鼻の形態に適合する。
【００１７】
さらに、本発明は遠用視ないし近用視に使用する際に、鼻Ｎの上下における幅の広狭に応じて左右のパッド１６、１７を開閉可能にするとともに、左右のパッド１６、１７が閉じ方向へ作用して鼻Ｎを左右から挟持するように、一方がパッド取り付け部１８、１９に位置し、他方が上記パッド１６、１７に位置する反発部材２７、２８を具備している。この実施形態における、反発部材２７、２８は一対の磁石から成り、かつ、それぞれの磁石の同極が対面するようにパッド１６、１７とパッド取り付け部１８、１９に取り付けられている。
【００１８】
本発明では、反発部材２７、２８がコイルスプリングから成り、かつ、コイルスプリングの一方の端部がパッド１６、１７と接触し、コイルスプリングの他方の端部がパッド取り付け部１８、１９と接触するよう構成することもできる。このようなコイルスプリングは、鼻Ｎの上下における幅の広狭に応じて左右のパッド１６、１７が開閉すると伸縮するので、収縮時は磁石同士の接触時に対応し、また、伸張時は磁石同士の離間時に対応するとともに、それぞれの作用力も収縮時と接触時に最大となり、伸張時と離間時に最小となる。よって、磁石とコイルスプリングは置換可能な存在であり、反発部材２７、２８としてコイルスプリングを使用した場合の図示を省略するが、本発明の範囲内にあることは明らかである。尚、コイルスプリングだけではなく、反発する方向に付勢されていれば、板ばね、空気バネなどのスプリング類も反発部材として適当である。
【００１９】
例１の場合、このような構成を有する本発明の多焦点眼鏡枠を用いた遠近両用めがねを使用者が着用することで、遠用視ないし近用視に使用するために眼鏡枠１０を上下に移動させる操作を自由に行なえるとともに、左右のパッド１６、１７の開閉が連続して行なえるので、上下の任意の移動位置にて眼鏡枠１０を停止させることができる。すなわち、遠近両用めがねの場合、遠用視ではレンズの上部でものを見るため、眼鏡枠１０の位置も図１にＬで示した下位になる。このとき、左右のパッド１６、１７は図３にＮ（Ｌ）で示すように鼻（鼻梁）Ｎの下位にあるから開閉度合いは小さくなり、反発部材２７、２８同士は接近して挟持力が大となる（図４参照）。この大きな挟持力は眼鏡をその質量に抗して顔面に引きつけておくために有利に作用するといえる。
【００２０】
逆に、レンズの下部でものを見る近用視では、眼鏡枠１０の位置は図１にＨで示した上位とする。このとき、左右のパッド１６、１７は図３にＮ（Ｈ）で示すように鼻（鼻梁）Ｎの上位に移動しているから開閉度合いは大きく、反発部材２７、２８は離間し挟持力は小となる（図４参照）。しかし、鼻（鼻梁）Ｎの形状は下方に広がるのが常であるから、その裾広がり形状が眼鏡を質量に抗する抵抗となる。よって、この場合にも眼鏡が顔面から落下しないように作用することは明らかである。また、上記の作用は、反発部材２７、２８が接近し挟持力は大となる遠用視から、反発部材２７、２８が離間し挟持力は小となる近用視に至る中間の全範囲においても当て嵌まる。よって、上記パッド１６、１７の閉じる作用力によって鼻を上下任意の位置で連続的に挟持し、遠用視ないし近用視に対応できることになる。
【００２１】
さらに、本発明において、左右のパッド１６、１７は、上下において変化する鼻の左右の側面形状により適切に接するように、複数の曲面２９ａ、２９ｂから成る鼻当て面２９を有しているという構成を取ることができる（図５）。左右のパッド１６、１７は開閉可能であるから、鼻（鼻梁）Ｎの両側面に接触する面はパッド１６、１７の開閉に応じて変化（移動）し得る。そこで、パッド１６、１７の鼻当て面２９が鼻の両側面に適切に接触するように、複数の曲面２９ａ、２９ｂ、設けて構成するものである。
【００２２】
このような鼻当て面２９の形状としては大小の半径Ｒ、Ｒの組み合わせが考えられる。この点について実験を行ない、一定の成果を得ているのでその例を示すと以下の通りである（数字の単位はｍｍ）。
Ｒ５−Ｒ２０
Ｒ５−Ｒ１０
Ｒ５−Ｒ９
Ｒ５−Ｒ８
Ｒ５−Ｒ６
Ｒ小は全て５ｍｍ、Ｒ大は２０〜６ｍｍの間の範囲が好ましい。なお、鼻当て面２９の曲面形状が全域で一定という数値も考えられるが、その場合の数値としてはＲ６即ち半径６ｍｍとしても良い。
【００２３】
さらに、本発明では、左右のパッドを例１とは異なる方向の軸により開閉可能とすることも可能であるので、そのための実施形態を例２として説明する。例２の場合、左右のパッド３１、３２は左右のパッド取り付け部３３、３４に支軸３５、３６によって回転可能に軸支されており、その支軸３５、３６は開閉するパッド３１、３２の上部に位置している（図６及び図７参照）。例２では、支軸３５、３６の軸方向が眼鏡枠３０に対してほぼ横方向を向くように配置されることになる。従って、左右のパッド３１、３２はそれぞれの下方部分が開くことになるので、この場合も鼻の形態に適合する。
【００２４】
上記例２における結合装置等の構成は例１と同様である。具体的には、結合装置４０はパッド取り付けのために各パッド取り付け部３３、３４に凸部として設けた、嵌め込み部３３ａ、３４ａと、それらを取り付けるためにパッドアーム３７、３８に凹部として設けた受容部３３ｂ、３４ｂと、嵌め込み部３３ａ、３４ａをパッド受容部３３ｂ、３４ｂに嵌め込んだ状態にて止め付けるネジ３９とから構成されている。反発部材４１、４２は例２の場合も磁石である。
【００２５】
このように構成されている実施形態の例２では、左右のパッド３１、３２は上部に位置する支軸３５、３６を中心として回転可能な状態に置かれており、反発部材４１、４２の作用により、左右のパッド３１、３２の下部が接近する方向へ付勢されている。
よって、レンズの上部でものを見る遠用視では、眼鏡枠３０の位置を図１にＬで示した下位に移動させ、近用視ではレンズの下部でものを見るため、眼鏡枠３０の位置も図１にＨで示した上位に移動させる。このとき及びそれらの間において、例２の眼鏡枠３０は例１のものと同様に作用するので、遠用視ないし近用視に対応できることになる。
【００２６】
本発明に関する以上の説明において、磁石という場合は磁石と呼ばれるもの一般を指している。今では磁力も強弱様々な磁石を入手可能であるから、例えば、眼鏡枠１０、３０の質量やその他の条件に適合する最適の磁石を選択して使用することができる。また、左右のパッド１６、１７、３１、３２の可動範囲及び不使用状態にて停止させるべき構造等については、いずれも詳細には説明していないが、いわゆる設計的事項に属するので任意に設定し得ることである。
【図面の簡単な説明】
【００２７】
【図１】本発明に係る多焦点用眼鏡枠の例１を示す正面説明図である。
【図２】同じく例１の要部を上方からみた平面説明図である。
【図３】同じく例１の作用を示す平面説明図である。
【図４】同じく側面説明図である。
【図５】本発明に用いるパッドの曲面を示す側面説明図である。
【図６】本発明に係る多焦点用眼鏡枠の例２を示す正面説明図である。
【図７】同じく例２を示す正面説明図である。
【符号の説明】
【００２８】
１０、３０  眼鏡枠
１１、１２  フロント部
１３  連結片
１４、１５  テンプル
１６、１７、３１、３２  パッド
１８、１９、３３、３４  パッド取り付け部
２０、４０  結合装置
２１、２２、３７、３８  パッドアーム
２３、２４、３９  ネジ
２５、２６、３５、３６  支軸
２７、２８、４１、４２  反発部材
２９  鼻当て面
【図１】
0005855620.tif 000002
【図２】
0005855620.tif 000003
【図３】
0005855620.tif 000004
【図４】
0005855620.tif 000005
【図５】
0005855620.tif 000006
【図６】
0005855620.tif 000007
【図７】
0005855620.tif 000008